(57)【特許請求の範囲】
【請求項１】
プログラム格納領域と鍵情報格納領域を備え着脱自在な複数の半導体記憶部と、
前記複数の半導体記憶部のうちでどれか一つを選択してシステムバスに接続するセレクタと、
外部より鍵情報を入力可能とする鍵情報入力手段と、
前記セレクタでどの前記半導体記憶部を選択するかの判断を行うセレクタ判定回路を有し、
前記セレクタ判定回路は、前記半導体記憶部の前記鍵情報格納領域に入っている鍵情報と前記鍵情報入力手段から入力された鍵情報とを比較して一致したものの前記半導体記憶部を前記セレクタに選択させる機能を有する
ことを特徴とする情報処理装置。
【請求項２】
前記複数の半導体記憶部のそれぞれは所定のバスに接続され、
前記バスは前記セレクタによって選択的に前記システムバスに接続され、
前記システムバスにはブートローダー、プログラム格納領域、主記憶部、ＣＰＵを含む制御回路、前記セレクタ判定回路がそれぞれ接続され、
前記鍵情報入力手段は、外部から鍵情報を取得する機能を有し、前記セレクタ判定回路に接続し鍵情報を前記セレクタ判定回路に伝達し、
前記セレクタ判定回路は前記セレクタに接続し前記バスのいずれかを前記システムバスに接続するよう前記セレクタに指示を出すように構成されている
ことを特徴とする請求項１に記載の情報処理装置。
【請求項３】
前記セレクタは前記複数の半導体記憶部のそれぞれの鍵情報を取得し前記セレクタ判定回路に伝達する手段を有する
ことを特徴とする請求項２に記載の情報処理装置。
【請求項４】
前記半導体記憶部がＩＣカードにより構成されている
ことを特徴とする請求項１乃至３のいずれか一項に記載の情報処理装置。
【請求項５】
前記ＩＣカードを装置にセットして鍵情報を外から与えることにより、個人所有のプログラムを実行させ、プライベートなデータを使って処理を行う
ことを特徴とする請求項４に記載の情報処理装置。
【請求項６】
プログラム格納領域と鍵情報格納領域を備え着脱自在な複数の半導体記憶部と、前記複数の半導体記憶部のうちでどれか一つを選択してシステムバスに接続するセレクタと、外部より鍵情報を入力可能とする鍵情報入力手段と、前記セレクタでどの前記半導体記憶部を選択するかの判断を行うセレクタ判定回路を有し、前記セレクタ判定回路は、前記半導体記憶部の前記鍵情報格納領域に入っている鍵情報と前記鍵情報入力手段から入力された鍵情報とを比較して一致したものの前記半導体記憶部を前記セレクタに選択させる機能を有する情報処理装置において、
前記複数の半導体記憶部のそれぞれの前記鍵情報格納領域にそれぞれ異なる特定の鍵情報を記憶する工程と、
前記セレクタが前記鍵情報をバスを通して認識する工程と、
前記セレクタ判定回路が前記セレクタに要求を出して前記半導体記憶部に記憶されている各鍵情報を収集する工程と、
前記鍵情報入力手段が外部から鍵情報を取得する工程と、
前記鍵情報入力手段で入手した鍵情報を前記セレクタ判定回路に送る工程と、前記半導体記憶部の鍵情報と前記鍵情報入力手段から取得した鍵情報が一致したと前記セレクタ判定回路が認識した場合に、前記セレクタを制御して前記バスを前記システムバスに接続するとともに、前記セレクタが当該バスを前記システムバスに接続したことを前記制御回路に通知し、
前記セレクタからの通知を基に前記制御回路が、ブートローダーを起動して前記半導体記憶部のプログラム格納領域からプログラムを、前記システムバスに接続している前記プログラム格納領域に転送する工程と、
当該転送されたプログラムを前記制御回路のＣＰＵを用いて実行する工程と、新たに前記鍵情報入力手段から取得した鍵情報を基に、前記セレクタ判定回路は前記システムバスを通して前記制御回路に割り込み、実行中のプログラムを停止する工程を有する
ことを特徴とする私情報セキュリティ方法。
【発明の詳細な説明】
【０００１】
【発明の属する技術分野】
本発明は、私情報管理技術に係り、特に一台の装置で複数の人がさわることが可能な環境でプライベートなプログラムあるいはデータを鍵情報を基にして各個人が独立して使用し、個人で管理するプログラムあるいはデータを他人に使用あるいは引用されることを防ぐことができる情報処理装置および私情報セキュリティ方法に関する。
【０００２】
【従来の技術】
近年、ノート型パーソナルコンピュータ等において、外部記憶装置として、ＰＣＭＣＩＡインターフェース等を備え、パーソナルコンピュータ本体と着脱可能に接続されるフラッシュメモリカードが用いられている。
【０００３】
しかし、フラッシュメモリカードに記憶されたデータは、そのフラッシュメモリカードをパーソナルコンピュータ本体から抜き取って他のコンピュータ等に接続し、アクセスすれば、アクセスする者を問わず容易に読み取ることができた。このため、フラッシュメモリカードは、守秘対象のデータの記憶には適さなかった。
【０００４】
このような問題点を解決することを目的とする従来技術としては、例えば、特開平１１−２６５３１８号公報に記載のものがある。すなわち、従来技術は、着脱可能な記憶装置に記憶されたデータへのアクセスを行う者を認証することができる相互認証システムおよび相互認証方法を提供することを目的とするものであって、記憶手段と、アクセス手段とにより構成され、アクセス手段は、操作者の操作により供給されるパスワードに基づいて第１の認証データを作成する手段と、配送キーを作成して記憶手段に供給する手段と、第１の認証データを実質的に逆変換を行えないように変換したものを表す第１のダイジェストを作成する第１のダイジェスト作成手段と、第１の認証データを実質的に逆変換を行えないように変換したものを表す第２のダイジェストを作成し、記憶手段に供給する第２のダイジェスト作成手段とを備え、記憶手段は、データを格納するための記憶領域を備えるデータ格納手段と、暗号化された第２の認証データを記憶する手段と、アクセス手段より供給された配送キーを用いて、暗号化された第２の認証データを復号化する手段と、第２の認証データを実質的に逆変換を行えないように変換したものを表す第３のダイジェストを作成し、アクセス手段に供給する第３のダイジェスト作成手段と、第２の認証データを実質的に逆変換を行えないように変換したものを表す第４のダイジェストを作成する第４のダイジェスト作成手段と、アクセス手段より第２のダイジェストを取得して、第２および第４のダイジェストが実質的に同一の認証データを示すか否かを判別し、示すと判別されたとき、アクセス手段の指示に従って、アクセス手段から供給されたデータの記憶領域への格納、記憶領域からのデータの取得および記憶領域から取得したデータのアクセス手段への供給を行う手段とを備え、アクセス手段は、記憶手段より第３のダイジェストを取得して、第１および第３のダイジェストが実質的に同一の認証データを示すか否かを判別し、示すと判別されたとき、記憶手段に記憶領域からのデータの取得を要求する指示、記憶領域へのデータの格納を要求する指示および記憶手段へのデータの供給を行う手段を備えている。
【０００５】
このような相互認証システムによれば、記憶手段とアクセス手段は、記憶手段に記憶された認証データと、アクセス手段に供給されたパスワードから作られる認証データとが実質的に同一のものであることを確認してから、データ格納手段の記憶領域へのアクセスをユーザ等に許可する。従って、パスワードをユーザ以外の者に公開しないようにすれば、データへのアクセスを行う者の認証が行われる。
【０００６】
アクセス手段は、パスワードに基づいてユーザキーを作成して、ユーザキーを配送キーを用いて暗号化して暗号化ユーザキーを作成し、暗号化ユーザキーを記憶手段に供給する手段を備え、記憶手段は、アクセス手段からのアクセスが実質的に不可能な記憶領域を有し、記憶領域中に、システムキー、暗号化された第２の認証データおよび暗号化された固有キーを記憶する手段と、配送キーを用いて、アクセス手段より供給された暗号化ユーザキーを復号化する手段と、暗号化された固有キーを、システムキーおよび復号化されたユーザキーを用いて復号化する固有キー復号化手段と、暗号化された第１の認証データを、復号化された固有キーを用いて復号化し、第２の認証データを作成する認証データ復号化手段とを備えるものであってもよい。これにより、第２の認証データの秘匿性は高まり、また、第２の認証データの復号化のために用いられるデータの秘匿性も高まるので、不正な操作等により記憶手段へのアクセスが誤って許可される危険が減少する。
【０００７】
記憶手段は、アクセス手段が、記憶領域へのデータの格納を要求する指示を行い、かつ、記憶領域に格納する対象のデータの供給を行ったとき、供給されたデータを、復号化された固有キーを用いて暗号化して、記憶領域に格納する手段と、アクセス手段が、記憶領域に格納されているデータの取得を要求する指示を行ったとき、暗号化されているデータを記憶領域より取得し、復号化された固有キーを用いて復号化して、アクセス手段に供給する手段とを備えるものであってもよい。これにより、データ格納手段の記憶領域に格納されるデータは固有キーにより暗号化された状態で格納される。このため、例えば記憶領域が不正なアクセスを受けても、不正なアクセスを行った者が固有キーを知らない限り、データの内容が漏洩することはない。従って、データの秘匿性は更に高まる。
【０００８】
固有キー復号化手段は、暗号化された固有キーを復号化するために生成するデータおよび復号化された固有キーが、アクセス手段に供給されることを実質的に阻止する手段を備えるものであってもよく、また、認証データ復号化手段は、暗号化された第１の認証データを復号化するために生成するデータおよび第２の認証データが、アクセス手段に供給されることを実質的に阻止する手段を備えるものであってもよい。これにより、固有キーや認証データを復元する過程で生成されるデータも秘匿されるから、データが外部に漏れ、固有キーや認証データが逆算される等の危険も減少する。
【０００９】
アクセス手段は、第１の乱数を発生する手段と、記憶手段より第１の配送キー情報を取得し、第１の配送キー情報および第１の乱数に基づいて第１の配送キーを作成する手段と、記憶手段より第２の乱数を取得し、第２の乱数および第１の乱数に基づいて第２の配送キー情報を作成し、第２の配送キー情報を記憶手段に供給する手段とを備え、記憶手段は、第２の乱数および第３の乱数を発生する手段と、第２および第３の乱数に基づいて第１の配送キー情報を作成し、第１の配送キー情報および第２の乱数をアクセス手段に供給する手段と、第３の乱数およびアクセス手段より供給された第２の配送キー情報に基づいて、第１の配送キーと実質的に同一の第２の配送キーを作成する手段とを備えるものであってもよい。これにより、配送キーも、秘匿性を保ったままアクセス手段から記憶手段に送られるので、配送キーが不正に取得され、アクセス手段と記憶手段との間で交換されるデータが不正に復号化される等の危険も減少する。
【００１０】
第１乃至第４のダイジェストは、例えば、アクセス手段が、第４の乱数を発生して記憶手段に供給する手段を備え、第１のダイジェスト作成手段が、第１の認証データと、第４の乱数とを変数とする一方向性関数の値を求めることにより第１のダイジェストを作成する手段を備え、第２のダイジェスト作成手段が、第１の認証データと、第３の乱数とを変数とする一方向性関数の値を求めることにより第２のダイジェストを作成する手段を備え、第３のダイジェスト作成手段が、第２の認証データと、第４の乱数とを変数とする一方向性関数の値を求めることにより第３のダイジェストを作成する手段を備え、第４のダイジェスト作成手段が、第２の認証データと、第３の乱数とを変数とする一方向性関数の値を求めることにより第４のダイジェストを作成する手段を備えることにより生成される。
【００１１】
アクセス手段は、操作者の操作に従って供給される、操作者を識別する識別情報を、実質的に逆変換が行えないように変換して操作者を特定する署名情報を作成し、署名情報を記憶手段に供給する手段を備え、記憶手段は、アクセス手段より供給された署名情報を取得する手段と、記憶領域に署名情報が記憶されているか否かを判別し、記憶されていないと判別されたとき、アクセス手段より供給された署名情報を記憶領域に記憶し、記憶されていると判別されたとき、記憶されている署名情報と、アクセス手段より供給された署名情報とが、実質的に同一の操作者を示すか否かを判別して、示さないと判別されたとき、アクセス手段が行う指示に従うことを拒絶する手段とを備えるものであってもよい。これにより、既にデータ格納手段の記憶領域にアクセスした者がいる場合、その者以外の者が記憶領域にアクセスすることは実質的に阻止されるので、記憶領域にあるデータが他の者に取得される危険が減少する。
【００１２】
【発明が解決しようとする課題】
しかしながら、従来技術には、一台の装置で複数の人がさわることが可能な環境でプライベートなプログラムあるいはデータを鍵情報を基にして各個人が独立して使用することが難しいため、個人で管理するプログラムあるいはデータを他人に使用あるいは引用されることを防ぐことができないという問題点があった。
【００１３】
本発明は斯かる問題点を鑑みてなされたものであり、その目的とするところは、一台の装置で複数の人がさわることが可能な環境でプライベートなプログラムあるいはデータを鍵情報を基にして各個人が独立して使用し、個人で管理するプログラムあるいはデータを他人に使用あるいは引用されることを防ぐことができる情報処理装置および私情報セキュリティ方法を提供する点にある。
【００１４】
【課題を解決するための手段】
請求項１に記載の発明の要旨は、プログラム格納領域と鍵情報格納領域を備え着脱自在な複数の半導体記憶部と、前記複数の半導体記憶部のうちでどれか一つを選択してシステムバスに接続するセレクタと、外部より鍵情報を入力可能とする鍵情報入力手段と、前記セレクタでどの前記半導体記憶部を選択するかの判断を行うセレクタ判定回路を有し、前記セレクタ判定回路は、前記半導体記憶部の前記鍵情報格納領域に入っている鍵情報と前記鍵情報入力手段から入力された鍵情報とを比較して一致したものの前記半導体記憶部を前記セレクタに選択させる機能を有することを特徴とする情報処理装置に存する。
また、請求項２に記載の発明の要旨は、前記複数の半導体記憶部のそれぞれは所定のバスに接続され、前記バスは前記セレクタによって選択的に前記システムバスに接続され、前記システムバスにはブートローダー、プログラム格納領域、主記憶部、ＣＰＵを含む制御回路、前記セレクタ判定回路がそれぞれ接続され、前記鍵情報入力手段は、外部から鍵情報を取得する機能を有し、前記セレクタ判定回路に接続し鍵情報を前記セレクタ判定回路に伝達し、前記セレクタ判定回路は前記セレクタに接続し前記バスのいずれかを前記システムバスに接続するよう前記セレクタに指示を出すように構成されていることを特徴とする請求項１に記載の情報処理装置に存する。
また、請求項３に記載の発明の要旨は、前記セレクタは前記複数の半導体記憶部のそれぞれの鍵情報を取得し前記セレクタ判定回路に伝達する手段を有することを特徴とする請求項２に記載の情報処理装置に存する。
また、請求項４に記載の発明の要旨は、前記半導体記憶部がＩＣカードにより構成されていることを特徴とする請求項１乃至３のいずれか一項に記載の情報処理装置に存する。
また、請求項５に記載の発明の要旨は、前記ＩＣカードを装置にセットして鍵情報を外から与えることにより、個人所有のプログラムを実行させ、プライベートなデータを使って処理を行うことを特徴とする請求項４に記載の情報処理装置に存する。
また、請求項６に記載の発明の要旨は、プログラム格納領域と鍵情報格納領域を備え着脱自在な複数の半導体記憶部と、前記複数の半導体記憶部のうちでどれか一つを選択してシステムバスに接続するセレクタと、外部より鍵情報を入力可能とする鍵情報入力手段と、前記セレクタでどの前記半導体記憶部を選択するかの判断を行うセレクタ判定回路を有し、前記セレクタ判定回路は、前記半導体記憶部の前記鍵情報格納領域に入っている鍵情報と前記鍵情報入力手段から入力された鍵情報とを比較して一致したものの前記半導体記憶部を前記セレクタに選択させる機能を有する情報処理装置において、前記複数の半導体記憶部のそれぞれの前記鍵情報格納領域にそれぞれ異なる特定の鍵情報を記憶する工程と、前記セレクタが前記鍵情報をバスを通して認識する工程と、前記セレクタ判定回路が前記セレクタに要求を出して前記半導体記憶部に記憶されている各鍵情報を収集する工程と、前記鍵情報入力手段が外部から鍵情報を取得する工程と、前記鍵情報入力手段で入手した鍵情報を前記セレクタ判定回路に送る工程と、前記半導体記憶部の鍵情報と前記鍵情報入力手段から取得した鍵情報が一致したと前記セレクタ判定回路が認識した場合に、前記セレクタを制御して前記バスを前記システムバスに接続するとともに、前記セレクタが当該バスを前記システムバスに接続したことを前記制御回路に通知し、前記セレクタからの通知を基に前記制御回路が、ブートローダーを起動して前記半導体記憶部のプログラム格納領域からプログラムを、前記システムバスに接続している前記プログラム格納領域に転送する工程と、当該転送されたプログラムを前記制御回路のＣＰＵを用いて実行する工程と、新たに前記鍵情報入力手段から取得した鍵情報を基に、前記セレクタ判定回路は前記システムバスを通して前記制御回路に割り込み、実行中のプログラムを停止する工程を有することを特徴とする私情報セキュリティ方法に存する。
【００１５】
【発明の実施の形態】
（第１の実施の形態）
図１は、本発明の一実施の形態に係る情報処理装置１０を説明するための機能ブロック図である。図１において、１，２，３は半導体記憶部、１Ａ，２Ａ，３Ａはプログラム格納領域、１Ｂ，２Ｂ，３Ｂは鍵情報格納領域、１０は情報処理装置、１２は鍵情報入力手段、１４はセレクタ判定回路、１６は制御回路、１８はセレクタ、２０はブートローダー、２２はプログラム格納領域、２４は主記憶部、２６はシステムバス、３１，３２，３３はバスを示している。
【００１６】
本実施の形態の情報処理装置１０は、プログラム格納領域１Ａと鍵情報格納領域１Ｂを備え着脱自在な半導体記憶部１と、プログラム格納領域２Ａと鍵情報格納領域２Ｂを備え着脱自在な複数の半導体記憶部２と、プログラム格納領域３Ａと鍵情報格納領域３Ｂを備え着脱自在な複数の半導体記憶部３と、各半導体記憶部１，２，３のうちでどれか一つを選択してシステムバス２６に接続するセレクタ１８と、外部より鍵情報を入力可能とする鍵情報入力手段１２と、セレクタ１８でどの半導体記憶部１，２，３を選択するかの判断を行うセレクタ判定回路１４を有し、セレクタ判定回路１４は、半導体記憶部１，２，３の鍵情報格納領域１Ｂ，２Ｂ，３Ｂに入っている鍵情報と鍵情報入力手段１２から入力された鍵情報とを比較して一致した半導体記憶部１，２，３をセレクタ１８に選択させる機能を有する点に特徴を有している。
【００１７】
半導体記憶部１，２，３はそれぞれバス３１，３２，３３に接続している。バス３１，３２，３３はセレクタ１８によって選択的にシステムバス２６に接続される。
【００１８】
システムバス２６にはブートローダー２０、プログラム格納領域２２、主記憶部２４、ＣＰＵを含む制御回路１６、セレクタ判定回路１４がそれぞれ接続されている。
【００１９】
鍵情報入力手段１２は、外部から鍵情報を取得する機能を有し、セレクタ判定回路１４に接続し鍵情報をセレクタ判定回路１４に伝達する。
【００２０】
セレクタ判定回路１４はセレクタ１８に接続しバス３１，３２，３３のいずれかをシステムバス２６に接続するようセレクタ１８に指示を出す。
【００２１】
また、セレクタ１８は半導体記憶部１，２，３の鍵情報を取得しセレクタ判定回路１４に伝達する手段を有する。
【００２２】
次に情報処理装置１０の動作（私情報セキュリティ方法）について説明する。図１を参照すると、本実施の形態においては、複数の半導体記憶部１，２，３の鍵情報格納領域１Ｂ，２Ｂ，３Ｂにはそれぞれ異なる特定の鍵情報が記憶されている。
【００２３】
セレクタ１８は、この鍵情報をバス３１，３２，３３を通して認識することができる。セレクタ判定回路１４は、セレクタ１８に要求を出して半導体記憶部１，２，３に記憶されている各鍵情報を収集する。
【００２４】
鍵情報入力手段１２は外部から鍵情報を取得する手段を有する。例えば、使用者がキーボードよりパスワードを入力したり、スキャナーより指紋情報を入力することも含まれる。鍵の概念は掌紋情報や虹彩情報やその他、多岐にわたるが、ここでは、鍵情報としてパスワードを想定している。すなわち、鍵をパスワードと読み替えてもよい。鍵情報入力手段１２で入手した鍵情報はセレクタ判定回路１４に送られる。
【００２５】
ここで、半導体記憶部１の鍵情報と鍵情報入力手段１２から取得した鍵情報が一致したとセレクタ判定回路１４が認識した場合、セレクタ１８を制御してバス３１をシステムバス２６に接続する。セレクタ１８はバス３１をシステムバス２６に接続したことを制御回路１６に通知する。この通知はバス３１に限らず、バス３２，３３のうちいずれかがシステムバス２６に接続されていれば、セレクタ１８は制御回路１６に通知を行う。
【００２６】
制御回路１６は、セレクタ１８からの通知を基に、ブートローダー２０を起動して半導体記憶部１のプログラム格納領域１Ａからプログラムを、システムバス２６に接続しているプログラム格納領域２２に転送する。そして転送されたプログラムを制御回路１６のＣＰＵを用いて実行する。
【００２７】
新たに鍵情報入力手段１２から取得した鍵情報を基に、セレクタ判定回路１４はシステムバス２６を通して制御回路１６に割り込み、実行中のプログラムを停止する。
【００２８】
なお、本実施の形態では、半導体記憶部１，２，３が３つの例を示したが、これに特に限定されることなく、１つから有限のｎ（自然数）個までの拡張を考えることは容易である。
【００２９】
本実施の形態は以上のように構成されているので、以下に掲げる効果を奏する。まず第１の効果は、鍵情報を入力させ、それに対応する半導体記憶部１，２，３のプログラムを実行させることができることから、鍵を保有する人それぞれの必要とするプログラムやデータを使って動作させることができることである。
【００３０】
また第２の効果は、他の人には実行させることができないことから、間違えや明らかな故意によりプログラムやデータを用いることを禁止することができることである。
【００３１】
また第３の効果は、複数の半導体記憶部１，２，３を接続できることにより必要なプログラムを選択的に選ぶことができることである。例えば、本情報処理装置１０がテレビゲームとして用いられることを想定した場合には使用者が必要なプログラム（ゲーム）を選択して使用できるようになるといった効果を奏する。
【００３２】
そして第４の効果は、半導体記憶部１，２，３を取り付け、取り外し可能とすることによりプログラムの変更または拡張が容易に実行できることである。例えば、半導体記憶部１，２，３にプログラムと同時にディジタルカメラのデータや音楽のディジタルデータを入れてある場合に、必要に応じて容易にデータの交換ができるようになるといった効果を奏する。
【００３３】
（第２の実施の形態）
本実施の形態は、半導体記憶部１，２，３がＩＣカードにより構成され、情報処理装置１０にセットして鍵情報を外から与えることにより、個人所有のプログラムを実行させ、プライベートなデータを使って処理を行う点に特徴を有している。
【００３４】
なお、本発明が上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００３５】
【発明の効果】
本発明は以上のように構成されているので、以下に掲げる効果を奏する。まず第１の効果は、鍵情報を入力させ、それに対応する半導体記憶部のプログラムを実行させることができることから、鍵を保有する人それぞれの必要とするプログラムやデータを使って動作させることができることである。
【００３６】
また第２の効果は、他の人には実行させることができないことから、間違えや明らかな故意によりプログラムやデータを用いることを禁止することができることである。
【００３７】
また第３の効果は、複数の半導体記憶部を接続できることにより必要なプログラムを選択的に選ぶことができることである。例えば、本情報処理装置がテレビゲームとして用いられることを想定した場合には使用者が必要なプログラム（ゲーム）を選択して使用できるようになるといった効果を奏する。
【００３８】
そして第４の効果は、半導体記憶部を取り付け、取り外し可能とすることによりプログラムの変更または拡張が容易に実行できることである。例えば、半導体記憶部にプログラムと同時にディジタルカメラのデータや音楽のディジタルデータを入れてある場合に、必要に応じて容易にデータの交換ができるようになるといった効果を奏する。
【図面の簡単な説明】
【図１】本発明の一実施の形態に係る情報処理装置を説明するための機能ブロック図である。
【符号の説明】
１，２，３…半導体記憶部
１Ａ，２Ａ，３Ａ…プログラム格納領域
１Ｂ，２Ｂ，３Ｂ…鍵情報格納領域
１０…情報処理装置
１２…鍵情報入力手段
１４…セレクタ判定回路
１６…制御回路
１８…セレクタ
２０…ブートローダー
２２…プログラム格納領域
２４…主記憶部
２６…システムバス
３１，３２，３３…バス
【図１】
0003551889.tif 000002